(57)【要約】【課題】大容量の記録媒体内のデジタルコンテンツデータの著作権を保護しつつ、そのＨＤＤ内のコンテンツを保護するために使用したＳＤカードを他の機器へ装着してもそのＳＤカード自身の機能も全て使用できる機能を提供することを目的とする。【解決手段】記録媒体１４００内の認証領域１４２２を他の装置に存在することを隠避することによって、記録媒体１４００を通常の認証機能を備えた記録媒体として使用でき、かつ記録媒体１５００のコンテンツデータを暗号化することで著作権保護を行うことができる。【選択図】図1
2008293161.tif 000002
【特許請求の範囲】
【請求項１】
著作権保護機能を備えた第一の記録媒体と、
著作権保護機能を持たない第二の記録媒体と、
前記第一の記録媒体は、前記第一の記録媒体および前記第二の記録媒体の暗号化されたコンテンツデータの鍵データを格納するための複数の認証領域格納部と、
前記認証領域格納部のサイズ情報を格納するカード情報レジスタ部とを有する記録再生装置において、
前記カード情報レジスタ部の認証領域格納部のサイズ情報が、前記第一の記録媒体用の認証領域のサイズであることを特徴とする記録再生装置。
【請求項２】
前記第二の記録媒体の初期化処理を行なう際に、前記第二の記録媒体に対応する前記第一の記録媒体の認証領域を初期化処理することを特徴とする請求項１に記載の記録再生装置。
【請求項３】
前記第一の記録媒体の初期化処理を行なう際に、前記第一の記録媒体に対応する前記認証領域と通常のデータを格納するための通常領域の初期化処理を行うことを特徴とする請求項１に記載の記録再生装置。
【請求項４】
前記第二の記録媒体は磁気記録媒体、光記録媒体、半導体媒体のいずれかであることを特徴とする請求項１に記載の記録再生装置。
【発明の詳細な説明】
【技術分野】
【０００１】
本発明は、音声や映像といったデジタルデータを記録および再生する際の著作権保護を行う装置に関する。
【背景技術】
【０００２】
近年デジタル映像コンテンツやデジタル音楽コンテンツを個人で楽しむ機会が増加しており、それに伴ってデジタルコンテンツの著作権を有する者と、それを個人で楽しむ者との間で、コンテンツの著作権保護に関して様々な方式が提案されている。
【０００３】
その中でも非常に強固な著作権保護方式としてＳＤ（Ｓｅｃｕｒｅ Ｄｉｇｉｔａｌ）カードやＤＶＤ(Ｄｉｇｉｔａｌ Ｖｅｒｓａｔｉｌｅ Ｄｉｓｋ)−ＲＡＭ等で採用されているＣＰＲＭ(Ｃｏｎｔｅｎｔ Ｐｒｏｔｅｃｔｉｏｎ ｆｏｒ Ｒｅｃｏｒｄａｂｌｅ Ｍｅｄｉａ)技術がある。しかしＳＤカードのようなメディアでは現在存在するもので４GBといったようにＨＤＤ(Ｈａｒｄ  Ｄｉｓｋ Ｄｒｉｖｅ)に比べると、映像コンテンツを記録するにはとても容量の小さな記録媒体であると言わざるを得ない。
【０００４】
昨今ユーザーがメディアに保存することを望むデータは映像データなどのような、巨大なデータ量を有するものであり、そのためＳＤカードのような媒体では記録可能な時間がかなり制限されてしまう。よって映像データなどのような巨大なデータを記録する媒体としてはＨＤＤのような安価で大容量の記録媒体が適している。しかしＨＤＤには記録するコンテンツに関して著作権保護をする機能がないのが一般的である。
【０００５】
ＨＤＤなどの大容量記録媒体に映像コンテンツや音楽コンテンツを著作権保護を施しながら記録するという方法のひとつに、ＳＤカードのような著作権保護機能を有した半導体メモリの機能を使用しつつ、同時にＨＤＤに記録されるデジタルコンテンツに著作権保護を行うようにする方式が提案されている。（例えば、特許文献１参照）
【特許文献１】特開２００４−９４７７８号公報
【発明の開示】
【発明が解決しようとする課題】
【０００６】
しかしながら、前記従来の構成では、著作権保護機能を有したＳＤカードを用いてＨＤＤのような大容量記録媒体内のコンテンツデータに対して暗号化を行いデータの著作権保護を行うことができる機能を提供しているが、暗号化に用いたＳＤカードを他の機器へ装着して通常のＳＤカードとして使用することが困難である。また、ＨＤＤ内のコンテンツを暗号化する際に用いた暗号鍵が格納されている認証領域のフォーマットを行うと、ＳＤの通常領域のコンテンツを暗号化した際に用いた暗号鍵だけでなく、ＨＤＤ内のコンテンツを暗号化した際の暗号鍵も消されてしまう。
【０００７】
これは認証領域内にＦＡＴ(Ｆｉｌｅ Ａｌｌｏｃａｔｉｏｎ Ｔａｂｌｅ)ファイルシステムなどを構築し、その中にＳＤ用のディレクトリあるいはＨＤＤ用のディレクトリを作成し、そのディレクトリ内にＳＤ、ＨＤＤそれぞれの暗号鍵を格納するためであり、この領域をフォーマットしてしまうと全ての暗号鍵データが消去される。よってＳＤ用とＨＤＤ用の鍵が存在していることを知らない機器においてＳＤカードをフォーマットされてしまうと、本来消されたくないＨＤＤ側の暗号鍵データまで消去される。
【０００８】
本発明では、大容量の記録媒体内のデジタルコンテンツデータの著作権を保護しつつ、そのＨＤＤ内のコンテンツを保護するために使用したＳＤカードを他の機器へ装着してもそのＳＤカード自身の機能も全て使用できる機能を提供し、さらにＳＤカード内部の認証領域のフォーマットを行ってもＨＤＤ側の暗号化鍵は消去されない機能を提供することを目的とする。
【課題を解決するための手段】
【０００９】
前記従来の課題を解決するために本発明の記録再生装置は、著作権保護機能を備えた第一の記録媒体と、著作権保護機能を持たない第二の記録媒体と、前記第一の記録媒体は、前記第一の記録媒体および前記第二の記録媒体の暗号化されたコンテンツデータの鍵データを格納するための複数の認証領域格納部と、前記認証領域格納部のサイズ情報を格納するカード情報レジスタ部とを有する記録再生装置において、前記カード情報レジスタ部の認証領域格納部のサイズ情報が、前記第一の記録媒体用の認証領域のサイズであることを特徴とするものである。
【００１０】
さらに、本発明の記録再生装置は、前記第二の記録媒体の初期化処理を行なう際に、前記第二の記録媒体に対応する前記第一の記録媒体の認証領域を初期化処理することを特徴とするものである。
【００１１】
さらに、本発明の記録再生装置は、前記第一の記録媒体の初期化処理を行なう際に、前記第一の記録媒体に対応する前記認証領域と通常のデータを格納するための通常領域の初期化処理を行うことを特徴とするものである。
【００１２】
さらに、前記第二の記録媒体は磁気記録媒体、光記録媒体、半導体媒体のいずれかであることを特徴とするものである。
【発明の効果】
【００１３】
以上のように本発明によれば、ＳＤカードのような著作権保護機能を搭載した半導体メモリを使用してＨＤＤなどの大容量記録メディア内のコンテンツを保護しつつ、ＨＤＤの著作権を保護するために用いた著作権保護機能を搭載した半導体メモリを他の機器へ装着しても通常のメディアとして利用することができる。
また、他の機器でＳＤの認証領域をフォーマットしてもＨＤＤ内のコンテンツを暗号化した際に用いた暗号化鍵が消されることなく、ＨＤＤのコンテンツを再生することができる。
【発明を実施するための最良の形態】
【００１４】
以下に本発明の記録再生装置の実施例を図面とともに詳細に説明する。
【実施例１】
【００１５】
図1は本発明の実施例１における記録再生装置の構成図を示すものである。図1において１０００は本発明の記録再生装置を示し、１１００は中央演算装置(ＣＰＵ(Ｃｅｎｔｒａｌ  ＰｒｏｃｅｓｓＵｎｉｔ))を示し、１２００はデータバスを示し、１３００はホストコントローラを示し、１４００は著作権機能を有する第一の記録媒体を示し、１５００は第二の記録媒体を示す。
【００１６】
中央演算装置１１００は、データの演算や各構成要素の制御などを行い、データバス１２００は中央演算装置１１００で演算された結果や、第一の記録媒体１４００及び第二の記録媒体１５００といった記録媒体上のデータがホストコントローラ１３００を介し流れる。また、ホストコントローラー１３００は中央演算装置１１００により制御され、第一の記録媒体１４００および第二の記録媒体１５００からのデータリード／ライト機能を提供する。また、第一の記録媒体１４００に対する認証の処理も行われる。
【００１７】
第一の記録媒体１４００は、著作権保護機能を有し、第一の記録媒体１４００の特徴を示す情報が格納されている記録媒体情報１４１０と、認証が成功した場合にだけ記録媒体にアクセス可能となる領域の認証領域１４２０と認証を必要とせずにアクセス可能な通常領域１４３０とから構成される。さらに認証領域１４２０は、第一の記録媒体自身１４００の通常領域１４３０内のコンテンツデータを暗号化する際に用いた暗号鍵を格納する認証領域１４２１、および第二の記録媒体１５００の通常領域１５１０に格納されるコンテンツデータを暗号化する際に用いた暗号鍵を格納する認証領域１４２２から構成される。
【００１８】
第二の記録媒体１５００は、認証を必要としない領域である通常領域１５１０から構成される。
【００１９】
本実施例では、例えば第一の記録媒体１４００をＳＤカードとして、第二の記録媒体１５００をＨＤＤとして説明を行う。以後、第一の記録媒体をＳＤカード、第二の記録媒体をＨＤＤと表記する。
【００２０】
ＳＤカード１４００は、デジタル映像コンテンツデータ(ＭＰＥＧやその他映像圧縮フォーマットまたは非圧縮データであっても良い)やデジタル音楽データ(ＭＰ３やその他圧縮データまたは非圧縮データであっても良い)の著作権を保護しながら記録する場合に、まずＳＤカード１４００と記録再生装置間で認証を行う。この認証で成功すれば認証領域１４２１、認証領域１４２２にアクセスすることができる。また実際のデジタルコンテンツデータは暗号化されてＳＤカード１４００の通常領域１４３０に格納されるが、デジタル映像コンテンツを暗号化する時に用いた鍵は、認証領域１４２１へと格納される。
【００２１】
ＳＤカード１４００から著作権保護対策されたデジタルコンテンツデータを再生する場合は、まず最初に記録再生装置１０００とＳＤカード１４００間での認証に成功した後で認証領域１４２１から再生させるデジタルコンテンツデータに対応した鍵データを読み出し、それと同時に１４３０の通常領域から暗号化されたデータを読み出し、認証領域１４２１から既に読み出した鍵データを用いながら暗号化されたコンテンツデータを復号してデータの再生を行う。
【００２２】
ＨＤＤ１５００は、ＳＤカード１４００に比べると大容量の記録容量を有しておりデジタル映像コンテンツデータやデジタル音楽コンテンツデータをＳＤカード１４００に比べると大量に保存ができる。
【００２３】
ＨＤＤ１５００へコンテンツデータを記録する際には、まずＳＤカード１４００と記録再生装置間１０００で認証を行い、認証が成功すれば認証領域１４２２にアクセスが可能となるので、記録しようとしているコンテンツを暗号化する際に用いた暗号鍵データを認証領域１４２２に書き込み、それと同時に暗号化されたコンテンツデータをＨＤＤ１５００の通常領域１５１０へ書き込む。
【００２４】
通常領域１５１０内に格納された暗号化コンテンツデータを再生させるためには、まずＳＤカード１４００と記録再生装置１０００間での認証に成功した後でＨＤＤ１５００用の認証領域１４２２から再生させようとする暗号化コンテンツに対応する鍵データを読み出し、それと同時にＨＤＤ１５００内の暗号化コンテンツデータを通常領域１５１０から読み出し、認証領域１４２２から既に読み出した鍵データを用いながら暗号化を復号してデータの再生を行う。
【００２５】
また、ＳＤカード１４００内の認証領域を複数個に分割する方法として例えば以下のようにして分割を行うことができる。記録媒体情報１４１０はＳＤカードの情報(例えばＣＳＤ(Ｃａｒｄ Ｓｐｅｃｉｆｉｃ Ｄａｔａ)レジスタ)を保持しており、例えばＳＤカードの全体の容量やサポートする電流値やセクタサイズやファイルシステムの種類や認証領域の大きさなどがある。
【００２６】
本発明を実施するに当たって、認証領域１４２０が複数の領域に分けられる。そのために記録媒体情報１４１０内の認証領域の大きさを表す値を実際の認証領域の大きさではなく、認証領域１４２１のサイズに書き換える。また、認証領域１４２０内に複数の領域１４２１と１４２２が存在するが、それぞれの認証領域に対してＦＡＴなどのファイル管理システムを有している。しかし本発明では、認証領域１４２０の先頭にはＭＢＲ(Ｍａｓｔｅｒ Ｂｏｏｔ Ｒｅｃｏｒｄｅｒ)のような、その記録媒体内にいくつのパーティションがあるかを示す情報は持たせない。
【００２７】
なぜならば、例えばパーティション情報を持ったＳＤカードを他の機器に装着されると、認証さえ通れば認証領域１４２１および認証領域１４２２にアクセスできてしまう。アクセスできるということはその中のデータを自由に改変できるということである。よって他の機器で認証領域１４２２の領域の存在が判り、マウントされて、データを消されてしまうとＨＤＤ１５００上の暗号化されたコンテンツデータを再生できなくなってしまう。
【００２８】
そこで、本発明で先に述べたように認証領域のサイズを実際の大きさとは異なる、少なめ(認証領域１４２１の大きさ)の情報にすることによって他の機器では、問題なく普通のＳＤカードとして使える。さらに認証領域１４２２は他の機器ではアクセスできないのでＨＤＤ１５００用の暗号鍵が消されるということは発生しない。
【００２９】
また、ＳＤカード１４００内の認証領域１４２０は複数の認証領域に分割されるが、その中でも先頭の領域はＳＤカード自身の認証領域として使用する。こうすることによりＳＤカードを本発明の記録再生装置以外の装置へ装着しても通常のＳＤカードとして使用することができる。また、前記したようにＳＤカードのための認証領域のサイズは少なめに記録されているので、ＨＤＤ用の認証領域１４２２を破壊することはない。
【００３０】
ＳＤカード内の認証領域１４２０は２領域に限らず、記録再生装置内に存在する記録媒体と同じ数だけ認証領域が確保される。
【００３１】
ＨＤＤのコンテンツを再生させるために、ＨＤＤ用の認証領域がどこから始まっているのか判断しなければならない。なぜならばＳＤカード内の認証領域のパーティション情報は存在しないからである。そこで、本発明の記録再生装置はＳＤカード１４００の記録媒体情報１４１０内の認証領域のサイズからまずＳＤカード１４００用に使われている認証領域のサイズを取得する。
【００３２】
そしてそこまではＳＤカード１４００用に使用されているので、ＨＤＤ１５００用の認証領域１４２２は認証領域１４２１＋１のサイズのところから始まっていると判断し、そこをＨＤＤ１５００用のファイルシステム開始位置であるとして認証領域１４２２のファイル情報を取得する。こうすることにより、ＨＤＤ１５００用の暗号鍵を取得でき、ＨＤＤ１５００内の暗号コンテンツデータを復号しながら再生を行うことができる。
【００３３】
また、領域分割の方法について図2を用いて説明を行う。ＳＤカードを本発明の記録再生装置に装着した際にまずＳＤカードと記録再生装置の間で正常なカードであることを確認するために認証を行う(ステップ２００１、ステップ２００２)。
【００３４】
認証に成功した場合にはＳＤカード内の認証領域へアクセスすることができるが、認証に失敗した場合はそのカードは不正なカードなのでエラー処理を行い処理を終了する。認証が成功した場合、認証領域が本発明の記録再生装置で使用できるように分割されているかどうかを確認する(ステップ２００３)。分割されている場合は正常終了する。分割されていない場合は、既に認証領域に鍵データが存在するかどうかを確認する(ステップ２００４)。
【００３５】
認証領域に鍵データが存在する場合は、その鍵データを認証領域とは別の領域へ一時的に退避させる(ステップ２００６)。鍵データを退避させた後、あるいは認証領域に鍵データが存在しなかった場合には、本発明の記録再生装置に装着されているＳＤカードを含めて通常領域の数および、その容量を調査する(ステップ２００５)。その後に認証領域の数量個に認証領域を分割するのだが、そのサイズは基本的に容量の比に応じて決定する(ステップ２００７)。
【００３６】
領域分割が終了した後で(ステップ２００８)、ファイルシステム等の領域内のデータを管理するための構造を領域ごとに作成する(ステップ２００９)。ファイルシステム等の作成が完了した時点で、あらかじめ退避した鍵データがある場合(ステップ２０１０)は、それに対応する認証領域へと書き戻す(ステップ２０１１)。
【００３７】
また図３を用いてＳＤカードの認証領域内の説明を行う。
【００３８】
認証領域１の領域のサイズはＳＤカードの記録媒体情報１４１０に記述されている認証領域のサイズである。認証領域２の開始アドレスは認証領域1の最後の位置から連続する位置であり、認証領域２の最後のアドレスは通常領域の始まる直前までに相当する。
【００３９】
よって認証領域２の領域のサイズは、通常領域が開始するアドレス（Ｕ１）から認証領域１の最後のアドレス(Ｓ２)を減算した値分である。
また、HDDの暗号化コンテンツをフォーマットをする際にはSDカードの認証領域２である1422内のファイルシステムをフォーマットし、続いてHDD内もフォーマットを行う。
【００４０】
一方、他機へSDカードを持っていきSDカードをフォーマットする場合に、その機器似対してSDカードから認証領域のサイズは記録媒体情報１４１０に記載された認証領域のサイズ分(実際のサイズよりも少ない)しかないと記録されているので認証領域１しかフォーマットされず、認証領域２の領域までフォーマットされることがない。
【００４１】
従ってSDカードを再び前記記録再生装置に挿入した際にはHDD内の暗号化されたコンテンツをSDカード内の内の認証領域２の鍵情報を用いて再生することができる。
【産業上の利用可能性】
【００４２】
本発明にかかる著作権保護機能を備えた記録媒体及び記録再生装置は、ＳＤカードのような著作権保護機能を搭載した半導体メモリを使用してＨＤＤなどの大容量記録メディア内のコンテンツを保護しつつ、ＨＤＤの著作権を保護するために用いた著作権保護機能を搭載した半導体メモリを他の機器へ装着しても通常のメディアとして利用することができる機能を有し、音声や映像といったデジタルデータを記録および再生する際の著作権保護を行う装置および媒体等に対して有用である。
【図面の簡単な説明】
【００４３】
【図１】本発明の実施例１における記録再生装置の概略図
【図２】本発明の実施例１における認証領域の分割処理のフローチャート
【図３】本発明の実施例１における認証領域のサイズと通常領域の構成図
【符号の説明】
【００４４】
１０００  記録再生装置
１１００  中央演算装置
１２００  データバス
１３００  ホストコントローラ
１４００  第一の記録媒体（ＳＤカード）
１４１０  記録媒体情報
１４２０  認証領域
１４２１  第一の記録媒体用認証領域
１４２２  第二の記録媒体用認証領域
１４３０  通常領域
１４４０  通信制御部
１５００  第二の記録媒体（ＨＤＤ）
１５１０  通常領域
【図１】
2008293161.tif 000003
【図２】
2008293161.tif 000004
【図３】
2008293161.tif 000005